(57)【要約】【課題】  ディスク状弁体が小刻みに開閉弁を繰り返すチャタリング現象を生じない安価な逆止弁を提供すると共に、ディスク状弁体の凸部を短くできる逆止弁を提供する。【解決手段】  本体１と蓋部材２から成る弁ケーシングで入口４と弁室３と出口５を形成する。入口４と弁室３の間に環状弁座８を設ける。環状弁座８を開閉するディスク状弁体６を弁室３内に配置する。ディスク状弁体６の下端面に凸部９を設ける。ディスク状弁体６を環状弁座８側へ付勢する不均等ピッチのコイルバネ７を設ける。不均等ピッチのコイルバネ７は、そのピッチをディスク状弁体６に近い側は小さくし、ディスク状弁体６に遠い側は大きくする。ディスク状弁体６の凸部９の外周にコイルバネ７のピッチの小さな部分を位置させてコイルバネ７のディスク状弁体６に近い側を保持する。【選択図】 図１
2008202624.tif 000002
【特許請求の範囲】
【請求項１】
弁ケーシングで入口と弁室と出口を形成し、入口と弁室の間に環状弁座を設けて、当該環状弁座を開閉するディスク状弁体を弁室内に配置して、当該ディスク状弁体を環状弁座へ付勢するコイルバネを設けたものにおいて、コイルバネのピッチをディスク状弁体に近い側は小さくし、ディスク状弁体に遠い側は大きくした不均等ピッチのコイルバネにすると共に、ディスク状弁体の出口側端面に凸部を設けて、当該凸部の外周にコイルバネのピッチの小さな部分を位置させてコイルバネのディスク状弁体に近い側を保持したことを特徴とする逆止弁。
【発明の詳細な説明】
【技術分野】
【０００１】
本発明は液体や気体などの流体配管に取り付けて、内部に設けたコイルバネで付勢されたディスク状弁体により、流体の入口から出口への順方向の流れは許容するが、その逆方向すなわち出口から入口への流れは阻止する逆止弁に関する。
【背景技術】
【０００２】
逆止弁は、弁ケーシングで入口と弁室と出口を形成し、入口と弁室の間に環状弁座を設け、環状弁座を開閉するディスク状弁体を弁室内に配置し、ディスク状弁体を環状弁座へ付勢するコイルバネを設けて、このコイルバネの線径がディスク状弁体側を細くすることによって、コイルバネのバネ付勢力が、環状弁座への離着座時にディスク状弁体に弱く作用するようにして、ディスク状弁体が小刻みに開閉弁を繰り返すチャタリング（ハンチング）現象を防止することができるものである。
【０００３】
上記従来の逆止弁は、ディスク状弁体の出口側端面に凸部を設けて、凸部の外周にコイルバネの線径の細い部分を位置させてコイルバネのディスク状弁体に近い側を保持したものであるが、コイルバネを確実に保持するためにディスク状弁体の凸部を長くしなければならない問題点があった。また、上記従来の逆止弁では、コイルバネの線径を細い箇所と太い箇所に分けているために、コイルバネの線径が一定のものと比較して、その線材が高価なものとなってしまう問題もあった。
【特許文献１】実開昭６１−１１９６６９号公報
【発明の開示】
【発明が解決しようとする課題】
【０００４】
解決しようとする課題は、ディスク状弁体が小刻みに開閉弁を繰り返すチャタリング現象を生じない安価な逆止弁を提供すると共に、ディスク状弁体の凸部を短くできる逆止弁を提供することである。
【課題を解決するための手段】
【０００５】
本発明は、弁ケーシングで入口と弁室と出口を形成し、入口と弁室の間に環状弁座を設けて、当該環状弁座を開閉するディスク状弁体を弁室内に配置して、当該ディスク状弁体を環状弁座へ付勢するコイルバネを設けたものにおいて、コイルバネのピッチをディスク状弁体に近い側は小さくし、ディスク状弁体に遠い側は大きくした不均等ピッチのコイルバネにすると共に、ディスク状弁体の出口側端面に凸部を設けて、当該凸部の外周にコイルバネのピッチの小さな部分を位置させてコイルバネのディスク状弁体に近い側を保持したものである。
【発明の効果】
【０００６】
本発明は、線径が一定の線材でピッチを変えた不均等ピッチのコイルバネとしたことにより、ディスク状弁体の離着座時のバネ付勢力を弱くして、ディスク状弁体が小刻みに開閉弁を繰り返すチャタリング現象を生じない安価な逆止弁とすることができると共に、コイルバネのピッチの小さな部分をディスク状弁体の凸部の外周で保持したことにより、ディスク状弁体の凸部を短くしても凸部の外周にコイルバネのピッチの小さな部分を位置させることができる。
【発明を実施するための最良の形態】
【０００７】
本発明は、コイルバネのピッチをディスク状弁体に近い側は小さくし、ディスク状弁体に遠い側は大きくした不均等ピッチのコイルバネにすると共に、ディスク状弁体の出口側端面に凸部を設けて、当該凸部の外周にコイルバネのピッチの小さな部分を位置させてコイルバネのディスク状弁体に近い側を保持したものである。そのため、ディスク状弁体が小刻みに開閉弁を繰り返すチャタリング現象を生じない安価な逆止弁とすることができる。また、ディスク状弁体の凸部を短くしても凸部の外周にコイルバネのピッチの小さな部分を位置させることができる。
【実施例１】
【０００８】
図１において、本体１と蓋部材２から成る弁ケーシングと、弁ケーシング内のほぼ円筒状の弁室３と、蓋部材２に設けた入口４と、本体１に設けた出口５、及び、弁室３内に配置したディスク状弁体６とコイルバネ７とで逆止弁を構成する。
【０００９】
蓋部材２の入口４の弁室３側開口端に環状弁座８を設ける。環状弁座８は入口４と同一軸上に形成する。環状弁座８に対向して円板状のディスク状弁体６を配置して、下部に配置したコイルバネ７でディスク状弁体６を環状弁座８側へバネ付勢する。
【００１０】
コイルバネ７は、線径は一定であるが、コイルとコイルの間の距離すなわちピッチを、ディスク状弁体６に近い側は小さくし、一方、ディスク状弁体６から遠い側は大きくした不均等ピッチのコイルバネ７とすることにより、ディスク状弁体６の開弁初期は小さなバネ付勢力しか発生することがなく、ディスク状弁体６の弁開度が大きくなるとバネ付勢力も大きな値となる。
【００１１】
ディスク状弁体６には、出口５側端面の中心部に凸部９を形成して、この凸部９の外周にコイルバネ７上端側のピッチの小さな部分をはめ込み、ディスク状弁体６の凸部９でコイルバネ７のディスク状弁体６に近い側を保持する。これにより、ディスク状弁体６の凸部９を短くしても凸部９の外周にコイルバネ７のピッチの小さな部分を位置させることができ、コイルバネ７のピッチの小さな部分を確実に保持することができる。ディスク状弁体６の外周には複数個のリブ１０を形成する。
【００１２】
入口４から流体が流入してきてその流体圧力が出口５側の流体圧力及びコイルバネ７の初期付勢力よりも大きくなると、ディスク状弁体６がコイルバネ７を圧縮して環状弁座８から離座して、下方へ変位する。これにより、入口４の流体が、弁室３の内周とディスク状弁体６外周のリブ１０の間との隙間を通って出口５に流れる。この場合、不均等ピッチのコイルバネ７の圧縮によって、ディスク状弁体６を環状弁座８側へ付勢するバネ力は弱いために、ディスク状弁体６が小刻みな開閉弁を繰り返すチャタリング現象を発生することがない。
【００１３】
入口４の流体圧力が出口５側の流体圧力及びコイルバネ７のバネ付勢力よりも小さくなると、ディスク状弁体６が入口４側に変位して環状弁座８に着座し、出口５から入口４への流体の逆流を防止する。
【図面の簡単な説明】
【００１４】
【図１】本発明の逆止弁の実施例を示す断面図。
【符号の説明】
【００１５】
１  本体
２  蓋部材
３  弁室
４  入口
５  出口
６  ディスク状弁体
７  不均等ピッチのコイルバネ
８  環状弁座
９  凸部
１０  リブ
【図１】
2008202624.tif 000003